(57)【特許請求の範囲】
【請求項１】
複数の系統の信号線が接続され、各系統の信号線にそれぞれ接続された調光可能な照明器具に対して系統毎に調光信号を出力する調光信号出力部と、各系統毎に調光信号を発生する制御部と、各系統の信号線にそれぞれ接続された照明器具の点灯時間を系統毎に計時するタイマ部とを備え、前記制御部は、前記タイマ部の計時した各系統毎の点灯時間に基づいて、経年変化による照度の低下を抑制するように各系統の調光信号を決定することを特徴とする照明制御装置。
【請求項２】
系統毎に異なる種類の照明器具が接続されており、各系統に接続された照明器具に関わる情報を設定する設定部を備え、当該設定部で設定された情報に基づいて制御部が調光信号の内容を決定することを特徴とする請求項１記載の照明制御装置。
【請求項３】
上記制御部は、通電中に少なくとも何れか１つの系統の照明器具を点灯させており、上記タイマ部は、上記各部に電源供給する電源部の通電時間を、通電中に点灯する系統の照明器具の点灯時間として計時することを特徴とする請求項１記載の照明制御装置。
【請求項４】
外部に接点信号を出力する外部接点出力部と、外部接点出力部から出力される接点信号に連動して少なくとも何れか１つの系統の照明器具をオン／オフさせる連動制御部とを備え、上記タイマ部は、接点信号の出力時間を、接点信号に連動して点灯する系統の照明器具の点灯時間として計時することを特徴とする請求項１記載の照明制御装置。
【請求項５】
外部信号が入力される外部信号入力部を備え、上記制御部は外部信号入力部に入力された外部信号に連動して少なくとも何れか１つの系統の照明器具をオン／オフさせており、上記タイマ部は、外部信号の入力時間を、外部信号に連動して点灯する系統の照明器具の点灯時間として計時することを特徴とする請求項１記載の照明制御装置。
【請求項６】
照明器具の照明範囲内に設定された検知エリアにおける人の存否を検出する人体検出部を備え、上記制御部は人体検出部の人体検知信号に連動して少なくとも何れか１つの系統の照明器具をオン／オフさせており、上記タイマ部は、制御部が人体検知信号に応じて対応する系統の照明器具を点灯させている間、この系統の照明器具の点灯時間を計時することを特徴とする請求項１記載の照明制御装置。
【請求項７】
所定の検知エリアの明るさを検出する明るさ検出部を備え、上記制御部は明るさ検出部の明るさ検出信号に連動して少なくとも何れか１つの系統の照明器具をオン／オフさせており、上記タイマ部は、制御部が明るさ検出信号に応じて対応する系統の照明器具を点灯させている間、この系統の照明器具の点灯時間を計時することを特徴とする請求項１記載の照明制御装置。
【請求項８】
上記タイマ部は、各系統の照明器具の点灯時間に対応した計時対象を計時することにより点灯時間を求めており、予め用意された複数の計時対象の中からタイマ部が計時する計時対象を選択的に設定する設定部を設けて成ることを特徴とする請求項３乃至７の何れか１つに記載の照明制御装置。
【請求項９】
タイマ部の計時した点灯時間が予め設定されたランプ交換時間に達すると、ランプの交換時期を報知するランプ交換報知部を備えて成ることを特徴とする請求項１乃至８の何れか１つに記載の照明制御装置。
【請求項１０】
各系統毎に接続可能な照明器具の台数の合計が、全体として接続可能な照明器具の台数よりも多い台数に設定されており、少なくとも何れか１つの系統に接続された照明器具の台数がこの系統の接続可能な台数を超えるか、又は、各系統に接続された照明器具の台数の合計が全体として接続可能な台数を超えると接続台数が設定台数を超過したことを報知する接続異常報知部を備えて成ることを特徴とする請求項１乃至９の何れか１つに記載の照明制御装置。
【請求項１１】
上記照明器具の照明負荷が高周波点灯専用形蛍光ランプからなることを特徴とする請求項１乃至１０の何れか１つに記載の照明制御装置。
【発明の詳細な説明】
【０００１】
【発明の属する技術分野】
本発明は、複数の系統の照明器具の点灯状態を系統毎に制御する照明制御装置に関するものである。
【０００２】
【従来の技術】
近年、事務所や工場などで各エリア毎に照明器具の適正照度やレイアウトに応じた照明範囲を自動的に設定したり、明るさセンサの検出した外光照度に応じて照明器具の照度を制御したり、予め設定されたタイムスケジュールに従って各照明器具の調光レベルを制御するなどして、省エネルギーを実現した照明制御装置の導入が増加している。
【０００３】
また従来の照明制御装置では、経年変化によるランプ照度の低下を抑制するとともに、点灯初期時における無駄な電力消費を抑制するために初期照度補正や、予め設定された１日のスケジュールに従って照明器具の点灯状態を自動的に切り替えるスケジュール制御を行うものがある。
【０００４】
ここで、照明制御装置による初期照度補正について説明する。一般的に点灯時間の経過とともに蛍光ランプの発光量の低下や照明器具の汚れに伴う器具効率の低下などによって照明器具の照度が低下していくため、初期照度補正を行わない場合は蛍光ランプの平均寿命を考慮して寿命末期においても設計照度が維持できるように、初期点灯時には設計照度に対してかなり明るい照度に設定されている。そのため、初期点灯時には蛍光ランプの照度が設計照度に比べてかなり明るく、余分な明るさが発生するため、無駄なエネルギーが消費されていた。それに対して、照明制御装置により初期照度補正を行う場合は、蛍光ランプの点灯時間に応じて照明器具の消費電力を制御することにより、蛍光ランプの明るさを常に設計照度に保っており、初期照度補正を行わない場合のように初期点灯時に余分な明るさが発生しないので、省エネルギーが実現される。ここで、点灯時間とは、ランプの初期使用時から現在までの間にこのランプを点灯させた時間の総和を言う。
【０００５】
次に照明制御装置によるタイムスケジュール制御について説明する。タイムスケジュール制御とは、予め設定された１日のスケジュールに従って照明器具の点灯状態を自動的に切り替えるという制御である。例えば店舗内に設置された複数の照明器具を制御する場合には、準備時間中は一部の照明器具のみを間引き点灯したり、各照明器具の照度を適正照度よりも低めに設定するなどして省エネルギーを図っている。また、開店時間中は各照明器具の照度を適正照度とし、さらにバーゲンタイムなど客の多い時間帯には各照明器具の照度を適正照度よりも高くしており、時間帯毎に適切な照明環境が得られ、且つ、無駄な照明を省いて省エネルギーを図っている。
【０００６】
【発明が解決しようとする課題】
ところで、事務所などに設置された複数の照明器具を制御する場合、一般的に事務所などでは同じ種類の照明器具が設置されており、複数の照明器具が同時に制御されていた。そのため、照明制御装置では各照明器具の点灯時間を一括して計時していた。
【０００７】
それに対して、照明エリアを複数のゾーンに分け、各ゾーン毎に異なる照明を行う店舗では、各ゾーン（系統）毎に異なる制御を自動的に行いたいという要望があるが、各ゾーンで照明器具の点灯時間にばらつきが発生したり、点灯させる時間帯が異なるため、初期照度補正やタイムスケジュール制御などを行う場合には従来の照明制御装置では対応することができなかった。
【０００８】
本発明は上記問題点に鑑みて為されたものであり、その目的とするところは、複数のゾーン毎に異なる制御を自動的に行えるようにした照明制御装置を提供するにある。
【０００９】
【課題を解決するための手段】
上記目的を達成するために、請求項１の発明では、複数の系統の信号線が接続され、各系統の信号線にそれぞれ接続された調光可能な照明器具に対して系統毎に調光信号を出力する調光信号出力部と、各系統毎に調光信号を発生する制御部と、各系統の信号線にそれぞれ接続された照明器具の点灯時間を系統毎に計時するタイマ部とを備え、制御部は、タイマ部の計時した各系統毎の点灯時間に基づいて、経年変化による照度の低下を抑制するように各系統の調光信号を決定することを特徴とし、制御部は調光信号出力部を用いて各系統毎に調光信号を出力しており、タイマ部は各系統に接続された照明器具の点灯時間を系統毎に計時しているので、各系統で照明器具の点灯時間が異なる場合でも、各系統の照明器具の点灯時間を正確に計時することができ、したがって各系統の照明器具について異なる制御を行う場合にも点灯時間が系統毎に計時されているので、容易に対応することができる。そのうえ、経年変化による照度の低下を抑制することができ、且つ、タイマ部は各系統毎に点灯時間を計時しているので、各系統で照明器具の点灯時間が異なる場合でも各系統毎に経年変化による照度の低下を正確に補正することができる。
【００１０】
請求項２の発明では、請求項１の発明において、系統毎に異なる種類の照明器具が接続されており、各系統に接続された照明器具に関わる情報を設定する設定部を備え、当該設定部で設定された情報に基づいて制御部が調光信号の内容を決定することを特徴とし、請求項１の発明の作用に加え、設定部を用いて各系統に接続された照明器具に関わる情報を設定することができるので、系統毎に異なる種類の照明器具が接続される場合にも、各系統に接続される照明器具の種類に応じた調光制御を行うことができる。
【００１１】
請求項３の発明では、請求項１の発明において、上記制御部は、通電中に少なくとも何れか１つの系統の照明器具を点灯させており、上記タイマ部は、上記各部に電源供給する電源部の通電時間を、通電中に点灯する系統の照明器具の点灯時間として計時することを特徴とし、請求項１の発明と同様の作用を奏する。
【００１２】
請求項４の発明では、請求項１の発明において、外部に接点信号を出力する外部接点出力部と、外部接点出力部から出力される接点信号に連動して少なくとも何れか１つの系統の照明器具をオン／オフさせる連動制御部とを備え、上記タイマ部は、接点信号の出力時間を、接点信号に連動して点灯する系統の照明器具の点灯時間として計時することを特徴とし、請求項１の発明と同様の作用を奏する。
【００１３】
請求項５の発明では、請求項１の発明において、外部信号が入力される外部信号入力部を備え、上記制御部は外部信号入力部に入力された外部信号に連動して少なくとも何れか１つの系統の照明器具をオン／オフさせており、上記タイマ部は、外部信号の入力時間を、外部信号に連動して点灯する系統の照明器具の点灯時間として計時することを特徴とし、請求項１の発明と同様の作用を奏する。
【００１４】
請求項６の発明では、請求項１の発明において、照明器具の照明範囲内に設定された検知エリアにおける人の存否を検出する人体検出部を備え、上記制御部は人体検出部の人体検知信号に連動して少なくとも何れか１つの系統の照明器具をオン／オフさせており、上記タイマ部は、制御部が人体検知信号に応じて対応する系統の照明器具を点灯させている間、この系統の照明器具の点灯時間を計時することを特徴とし、請求項１の発明の作用に加えて、人がいない時には照明器具を消灯させることによって省電力を図ることができる。
【００１５】
請求項７の発明では、請求項１の発明において、所定の検知エリアの明るさを検出する明るさ検出部を備え、上記制御部は明るさ検出部の明るさ検出信号に連動して少なくとも何れか１つの系統の照明器具をオン／オフさせており、上記タイマ部は、制御部が明るさ検出信号に応じて対応する系統の照明器具を点灯させている間、この系統の照明器具の点灯時間を計時することを特徴とし、請求項１の発明の作用に加えて、周りが十分明るい時には照明器具を消灯させることによって省電力を図ることができる。
【００１６】
請求項８の発明では、請求項３乃至７の発明において、上記タイマ部は、各系統の照明器具の点灯時間に対応した計時対象を計時することにより点灯時間を求めており、予め用意された複数の計時対象の中からタイマ部が計時する計時対象を選択的に設定する設定部を設けて成ることを特徴とし、請求項３乃至７の発明の作用に加えて、設定部により各系統の点灯時間を計時するための計時対象を容易に切り替えることができる。
【００１７】
請求項９の発明では、請求項１乃至８の発明において、タイマ部の計時した点灯時間が予め設定されたランプ交換時間に達すると、ランプの交換時期を報知するランプ交換報知部を備えて成ることを特徴とし、請求項１乃至８の発明の作用に加えて、各系統毎に点灯時間が異なる場合でも各系統毎にランプの交換時期をユーザに知らしめることができる。
【００１８】
請求項１０の発明では、請求項１乃至９の発明において、各系統毎に接続可能な照明器具の台数の合計が、全体として接続可能な照明器具の台数よりも多い台数に設定されており、少なくとも何れか１つの系統に接続された照明器具の台数がこの系統の接続可能な台数を超えるか、又は、各系統に接続された照明器具の台数の合計が全体として接続可能な台数を超えると接続台数が設定台数を超過したことを報知する接続異常報知部を備えて成ることを特徴とし、請求項１乃至９の発明の作用に加えて、接続台数が予め設定された台数を超えたことをユーザに知らしめることができる。
【００２０】
請求項１１の発明では、請求項１乃至１０の発明において、上記照明器具の照明負荷が高周波点灯専用形蛍光ランプからなることを特徴とし、請求項１乃至１０の発明と同様の作用を奏する。
【００２１】
【発明の実施の形態】
本発明の実施の形態を図面を参照して説明する。
【００２２】
（実施形態１）
本実施形態の照明制御装置の概略構成図を図１に示す。この照明制御装置１は例えば中・大規模店舗に設置され、店舗内の照明器具２を制御するために用いられるものであり、制御部１１と、調光信号出力部１２と、記憶部１３と、設定部１４と、表示部１５と、タイマ部１６と、商用電源ＡＣから電源供給されて上記各部の動作電源を生成する電源部１７とで構成される。
【００２３】
照明器具２は、高周波点灯専用形の蛍光ランプ２１と、照明制御装置１から入力される調光制御信号に応じて蛍光ランプ２１を調光点灯する点灯装置２２とで構成される。
【００２４】
調光信号出力部１２は複数系統（本実施形態では例えば４系統）の出力ポート１２ａ〜１２ｄを有し、各出力ポート１２ａ〜１２ｄに信号線を介して接続される照明器具２に対して、制御部１１から入力された調光制御信号を出力する。尚、図１では図示を簡単にするために、系統２〜４の出力ポート１２ｂ〜１２ｄに接続されている照明器具２を省略して図示してある。
【００２５】
制御部１１は例えばマイクロコンピュータからなり、記憶部１３、設定部１４及びタイマ部１６にそれぞれ設定されたデータに基づいて各系統の照明器具２にそれぞれ出力する調光制御信号を発生する。
【００２６】
記憶部１３は、停電時のバックアップ電源を有するＲＡＭ又はＥＥＰＲＯＭのような不揮発性メモリとその周辺回路で構成され、各系統の照明器具２に対応する初期照度の補正データや、各照明器具の蛍光ランプの交換時間などのデータを記憶する。また、停電時には各種の設定値や各照明器具の点灯時間などのデータを記憶部１３に退避させて、記憶部１３に記憶させておき、電源復帰時に記憶部１３に記憶された設定値や点灯時間を制御部１１が読み込むものとする。
【００２７】
設定部１４は例えば押釦スイッチやディップスイッチなどからなり、ＵＰ、ＤＯＷＮ、変更、設定などの操作内容毎にスイッチが設けられており、点灯時間の積算方法の選択（すなわち点灯時間に対応した複数の計時対象の中から何れかの計時対象を選択する選択操作）、系統毎の照明器具の種類（蛍光ランプの種類）の設定、タイムスケジュールの制御内容、現在時刻などの基本設定を行うことができ、その設定値は記憶部１３に保存される。
【００２８】
表示部１５は例えば液晶ディスプレイ（ＬＣＤ）とその周辺回路とで構成され、その表示内容は制御部１１によって制御される。例えば設定部１４を用いて各種の設定を行う際は、制御部１１が表示部１５に設定内容に関する質問を表示させ、この質問に設定部１４を用いて答えることにより、各系統毎に照明器具の種類や制御内容について設定することができる。また、設定時以外でも日時や各系統の照明器具２の出力値や点灯時間を表示部１５に常時表示させるようにしても良く、図３（ｃ）は表示部１５の表示画面１５ａに各系統の点灯時間を表示させた状態を示している。尚、図３（ｃ）の表示は系統１の照明器具の点灯時間が２時間、系統３の照明器具の点灯時間が４時間、系統２，４の照明器具の点灯時間が０時間であることを示している。また、例えば系統１の照明器具の点灯時間がランプ交換時間に達した場合には、ランプ交換時期を知らせるため、「ランプコウカンケイトウ１」のようなメッセージをランプ交換報知部たる表示部１５に表示させても良いし（図３（ｂ）参照）、系統１の照明器具において接続状態に異常が発生した場合には、異常状態を知らせるために、「イジョウケイトウ１」のようなメッセージを接続異常報知部たる表示部１５に表示させても良い（図３（ｄ）参照）。
【００２９】
また、表示部１５としてＬＣＤ以外に光色の異なる複数の発光ダイオードを設け、蛍光ランプ２１の交換時期を発光ダイオードを用いて報知するようにしても良い。例えば、何れかの系統の照明器具２の点灯時間が予め設定されたランプ交換時間の約３分の２の時間に達すると、制御部１１が通常時とは異なる色の発光ダイオードを点灯させ、その後点灯時間がランプ交換時間に達すると、制御部１１がまた別の色の発光ダイオードを点灯させるか、或いは、発光ダイオードを点滅させることによって、ランプ交換時期を報知するようにしても良い。また、接続異常などの照明器具２の異常時には、発光ダイオードを点滅させることによって異常状態を報知するようにしても良い。
【００３０】
タイマ部１６は時刻タイマ１６ａと点灯時間タイマ１６ｂとで構成される。時刻タイマ１６ａは現在の時刻を計時するタイマ（リアルタイムクロックを用いても良い）であり、点灯時間タイマ１６ｂは各系統の照明器具２の点灯時間（積算時間）を個別に計時するタイマである。そして、現在の時刻を計時する時刻タイマ１６ａでは、タイムスケジュール制御を行う際に、設定部１４で設定された開始時刻又は終了時刻が来るとトリガ信号を制御部１１に出力する。また、点灯時間を計時する点灯時間タイマ１６ｂでは電源部１７の通電時間から各系統毎の点灯時間を検出しており、単位時間毎（例えば１時間毎）に各系統の点灯時間の積算値を制御部１１に出力する。制御部１１では点灯時間タイマ１６ｂから各系統の点灯時間が入力されると、記憶部１３に記憶させた各系統の点灯時間を更新するとともに、表示部１５に表示させた点灯時間の表示を更新する。なお、点灯時間の表示は１時間毎の更新でも特に問題はないが、毎日電源部１７をオン／オフさせるような場合には、電源部１７をオン／オフさせるタイミングによって実際の点灯時間と記憶部１３に記憶された点灯時間との間に誤差が生じるので、点灯時間タイマ１６ｂから制御部１１へ点灯時間を出力する時間間隔を短くするのが好ましい。
【００３１】
調光信号出力部１２は、複数の系統の照明器具２に対する調光制御信号を制御部１１から受け取り、対応する系統の照明器具２に出力しているが、各照明器具２に供給する電力を制御することによって調光するようにしても良い。
【００３２】
ここで、調光信号出力部１２から出力される調光制御信号の制御内容について以下に簡単に説明する。制御部１１では、上述のように記憶部１３、設定部１４及びタイマ部１６からの情報に基づいて調光制御信号を設定するのであるが、点灯時間の経過に伴って蛍光ランプ２１の発光量が低下したり、蛍光ランプ２１が汚れてランプ光束が低下するため、時間の経過とともに点灯装置２２の出力を徐々に増加させており、そのため経時的な光束低下を補正して照明器具２の照度を設計照度に保つための初期照度補正出力値と点灯時間との対応関係を示した初期照度補正用のデータテーブルを、照明器具２（すなわち蛍光ランプ２１）の種類毎に複数用意している。
【００３３】
而して、制御部１１では、点灯時間タイマ１６ｂの計時した点灯時間と、初期照度補正用のデータテーブルとから初期照度補正出力値を決定し、設定部１４からの情報に基づいて設定された照明器具２の調光比（すなわち光出力値）に初期照度補正出力値を乗じて出力データを求める。
【００３４】
（出力データ）＝（光出力値）×（初期照度補正出力値）
そして、この出力データと各蛍光ランプ２１に対応するデータテーブルとから実際に出力する調光制御信号（例えば点灯装置２２がスイッチング電源からなる場合はスイッチング素子のデューティ比）が決定され、制御部１１から調光信号出力部１２へ出力される。なお、点灯時間の経過とともに初期照度補正用の出力値が変化するので、制御部１１では点灯時間タイマ１６ｂから点灯時間が入力される毎（例えば１時間毎）に初期照度補正用のデータテーブルを参照し、初期照度補正出力値が変化していれば、上述と同様の方法で調光制御信号を求める。
【００３５】
次に、図２に示すように各系統毎に異なる種類の照明器具２ａ〜２ｄがそれぞれ接続された場合について以下に簡単に説明する。この場合、ユーザーが設定部１４を用いて各系統に接続された照明器具２ａ〜２ｄの種類（すなわち蛍光ランプ２１の種類）を設定し、設定部１４で設定された蛍光ランプ２１の種類が系統毎に表示部１５の表示画面１５ａに表示される（図３（ａ）参照）。なお、記憶部１３には各種の蛍光ランプ２１についてその調光レベルの最下限値やランプ交換時間などのデータが予め登録されており、設定部１４を用いて蛍光ランプ２１の種類を設定すると、この蛍光ランプ２１の種類に応じた調光レベルの最下限値やランプ交換時間が記憶部１３から読み込まれて、自動的に設定される。例えば蛍光ランプ２１の種類としてランプＡを選択すると、初期照度補正有りの最下限値が４０％、初期照度補正無しの最下限値が２５％、ランプ交換時間が１２０００時間にそれぞれ設定される。尚、ランプ交換時間に関しては、ユーザー側で設定できるようにしてもよい。
【００３６】
ところで、本実施形態では調光信号出力部１２が４系統の出力ポート１２ａ〜１２ｄを有しており、各系統にはそれぞれ異なる種類の照明器具２ａ〜２ｄが接続されている。例えば出力ポート１２ａ（系統１）にランプＡを備えた照明器具２ａ、出力ポート１２ｂ，１２ｃ（系統２，３）にランプＢを備えた照明器具２ｂ，２ｃ、出力ポート１２ｄ（系統４）にランプＣを備えた照明器具２ｄがそれぞれ接続されている場合、ランプの種類によってランプ交換時間が異なるため（例えばランプＡのランプ交換時間は８５００時間、ランプＢのランプ交換時間は１２０００時間、ランプＣのランプ交換時間は１００００時間である。）、系統毎にランプ交換時間が異なっている。
【００３７】
ここで、点灯時間タイマ１６ｂは電源部１７の通電時間を計時することによって各系統毎の点灯時間を検出しており、各系統の点灯時間がその系統のランプのランプ交換時間に達すると、制御部１１は図３（ｂ）に示すようにランプの交換時期を知らせるメッセージ「ランプコウカンケイトウ１（ランプ交換系統１）」を表示部１５の表示画面１５ａに表示させる。
【００３８】
本実施形態の場合にはランプＡ〜Ｃの内、ランプＡのランプ交換時間が一番短いので、まず最初にランプＡの交換時期を知らせるメッセージが表示される。尚、制御部１１では、ユーザーが設定部１４を用いて何らかのスイッチ操作を行うまでランプの交換時期を知らせるメッセージを表示部１５に表示し続ける。そして、ユーザーが系統１のランプの交換時期を知らせるメッセージを見て、ランプ交換を行い、点灯時間のリセット動作を行うと、点灯時間タイマ１６ｂは系統１の点灯時間を０にリセットして、計時動作を再開する。尚、ユーザーが点灯時間のリセット動作を行うまで、制御部１１がランプの交換時期を知らせるメッセージを表示するようにしても良い。
【００３９】
ランプＡ〜Ｃの内、ランプＡの次にランプ交換時間が短いのはランプＣであるから、次にランプの交換時期を迎える系統は系統４である。而して、点灯時間タイマ１６ｂの計時した系統４の点灯時間がそのランプ交換時間に達すると、制御部１１はランプの交換時期を知らせるメッセージを表示部１５に表示させる。ここで、系統１についてランプ交換時期を報知した際に、ユーザーが点灯時間のリセット動作を忘れて、何らリセット動作を行わなかった場合、系統４についてランプの交換時期を知らせるメッセージを表示すると同時に、系統１についてもランプの交換時期を知らせるメッセージを表示することにより、系統１のリセット動作をユーザーに促すことができる。
【００４０】
尚、発光ダイオードの点灯状態によってランプの交換時期を知らせるようにしても良く、例えば２色タイプの発光ダイオードを使用し、点灯時間がランプ交換時間の約３分の２の時間までは緑点灯、ランプ交換時間の約３分の２の時間からランプ交換時間までは橙点灯、ランプ交換時間を超えると赤点灯させることによって、発光ダイオードの発光色からランプの交換時期を容易に読み取ることができる（例えば上述したランプＢの場合は、点灯時間が０〜８０００時間であれば緑点灯、８０００〜１２０００時間であれば橙点灯、１２０００時間を超えると赤点灯となる）。ここで、ランプの交換時期を知らせるための発光ダイオードは各系統毎に設けても良いし、１個の発光ダイオードで点灯時間がランプ交換時間に一番近付いている系統の表示を行うようにしても良い。
【００４１】
また本実施形態では設定部１４を用いて各種の設定を行っているが、設定部１４を照明制御装置１と別体とし、設定部１４としてワイヤレス送信器、移動体通信の通信端末、パーソナルコンピュータなどを用い、遠隔から無線或いは有線で各種の設定を行うようにしても良い。
【００４２】
上述のように本実施形態の照明制御装置１では、照明器具２の種類に応じた初期照度補正データなどの設定値を照明制御装置１に持たせているので、系統毎に異なる照明器具２が接続された場合でも１台の照明制御装置１で各照明器具２の点灯状態を制御することができる。したがって、ディスプレイエリア、一般販売エリア、特設売り場などのゾーン毎に異なる種類の照明器具２が設置される店舗においても、１台の照明制御装置１で複数台の種類の異なる照明器具２を制御することができる。また、照明制御装置１では点灯時間タイマ１６ｂが各系統毎に点灯時間を計時しているので、系統毎に求めた点灯時間を利用して自由度の高い制御を行うことができ、各照明器具２の照度を適正照度に制御できる。
【００４３】
ところで、本実施形態では１台の照明制御装置１に４系統の照明器具２が接続されるのであるが、出力部の容量の関係で１台の照明制御装置１に接続可能な照明器具２の台数には制約があり、例えば１台の照明制御装置１に接続可能な照明器具２の台数（この台数を全接続可能台数と言う。）が１２０台、各系統に接続可能な照明器具２の台数（この台数を系統接続可能台数と言う。）が１００台に設定されている場合に、系統１に１００台の照明器具２が接続されると、他の系統２〜４には合計２０台しか照明器具２を接続できなくなる。
【００４４】
ここで、照明制御装置１に全接続可能台数を超える数の照明器具２が接続された場合、或いは、一つの系統に系統接続可能台数を超える数の照明器具２が接続された場合、調光信号出力部１２から流れる電流が予め設定してある電流値よりも大きい値となるので、設定している台数以上に照明器具２が接続されていることを検知できる。そして、調光信号出力部１２から流れる電流の総和が、全接続可能台数に対応した電流値を超えた場合には、制御部１１が図示しない発光ダイオードを点滅させたり、表示部１５に警報表示を行わせることによって、全接続可能台数を超える台数の照明器具２が接続されたことをユーザに知らしめることができる。
【００４５】
また、調光信号出力部１２の各出力ポート１２ａ〜１２ｄに流れる電流が、系統接続可能台数に対応した電流値を超えた場合には、系統毎に予め設定してある系統接続可能台数を超える台数の照明器具２が接続されたと判断し、図３（ｄ）に示すように表示部１５の表示画面１５ａに「イジョウケイトウ（異常系統）１」のような警報表示を行い、何れかの系統に接続された照明器具２の台数が系統接続可能台数を超えたことをユーザに知らしめることができる。そして、各系統の接続台数が系統接続可能台数以下になり、全体の接続台数が全接続可能台数以下になれば、制御部１１は表示部１５による警報表示を停止させる。
【００４６】
照明制御装置１に接続される複数台の照明器具２が、系統毎に予め設定されたゾーンに設置される場合、ゾーンの大きさによって接続される照明器具２の台数が異なるため、各系統に接続可能な照明器具２の台数をできるだけ増やすことが望ましい。しかしながら、照明制御装置１の大きさにも制約があり、電源部１７をあまり大きくすることができないので、各系統で接続可能な台数（系統接続可能台数）の和が全接続可能台数を超えることになる。したがって、全体として接続可能な台数と各系統で接続可能な台数とのバランスをとる必要があり、照明制御装置１に接続された照明器具２の台数が全接続可能台数又は系統接続可能台数を超えた場合には、制御部１１が表示部１５を用いて接続異常の表示を行うので、施工ミスを早期に発見できる。また、制御部１１が調光信号出力部１２の各出力ポート１２ａ〜１２ｄに流れる電流をモニタしているので、制御動作中に断線や短絡などの事故が発生した場合にも異常状態の発生を系統毎に把握でき、配線の修理を短時間で行うことができる。
【００４７】
（実施形態２）
本実施形態の照明制御装置の概略構成図を図４に示す。実施形態１の照明制御装置１では、点灯時間タイマ１６ｂが、電源部１７の通電時間をカウントすることによって各系統の照明器具２の点灯時間を計時していたが、本実施形態の照明制御装置１では、制御部１１によって外部接点１８ａのオン／オフが制御される外部接点出力部１８を設け、外部接点１８ａの両端間に交流電源ＡＣを介して連動制御部たる電磁接触器３のリレーコイル３１を接続している。そして、この電磁接触器３のリレー接点３２を介して系統１及び系統３にそれぞれ接続された照明器具２に交流電源ＡＣを供給している。而して、この照明制御装置１では外部接点１８ａのオン／オフと系統１及び系統３に接続された照明器具２への電源供給とが連動しているので、外部接点１８ａの導通時間をカウントすることによって、系統１，３の照明器具２の点灯時間を計時することができる。尚、外部接点出力部１８及び電磁接触器３以外の構成は実施形態１と同様であるので、同一の構成要素には同一の符号を付して、その説明は省略する。また、図４では図示を簡単にするため、系統２及び系統４に接続されている照明器具２は省略して図示してある。
【００４８】
ところで、この照明制御装置１を店舗で使用する場合には、準備時間中に一部の系統の照明器具２を消灯させ、間引き点灯して省エネを図るというような使用方法がある。例えば図６に示すように準備時間中に系統１及び系統３に接続された照明器具２を消灯させ、系統２及び系統４に接続された照明器具２のみを点灯させるような場合には、系統２及び系統４に接続された照明器具２の点灯時間は電源部１７の通電時間から求められるが、系統１及び系統３に接続された照明器具２の点灯時間は電源部１７の通電時間とは異なっている。
【００４９】
そこで、本実施形態では、点灯時間タイマ１６ｂが外部接点１８ａの導通時間を計時することによって、系統１及び系統３の照明器具２の点灯時間を計時している。図５は設定部１４を用いて各系統の点灯時間を計時するための計時対象を設定する設定画面を示しており、系統１，３にはガイブセッテン（つまり外部接点１８ａ）を設定し、系統２，４にはデンゲン（つまり電源部１７の通電時間）を設定している。点灯時間タイマ１６ｂは設定部１４で設定された計時対象を計時することによって各系統の点灯時間をカウントしており、電源部１７の通電時間をカウントすることによって系統２及び系統４に接続された照明器具２の通電時間を計時するとともに、外部接点１８ａの導通時間をカウントすることによって系統１及び系統３に接続された照明器具２の通電時間を計時している。
【００５０】
例えば外部接点１８ａをオフする時間（準備時間）を午前９時から午前９時５０分までの間、及び、午後８時３０分から午後９時までの間とした場合、この時間帯は系統１及び系統３に接続された照明器具２を消灯させているので、上記の時間帯は点灯時間タイマ１６ｂが系統１及び系統３の点灯時間について計時動作を行わず、午前９時５０分から午後８時３０分までの間のみ計時動作を行う。
【００５１】
尚、外部接点１８ａをオン／オフさせるタイミングは、予め設定された所定期間中（例えば１日、１週間、１ヶ月、１年単位）のスケジュールにしたがって自動的にオン／オフさせても良いし、手動操作でオン／オフさせるようにしても良い。また、外部接点１８ａのオン／オフに連動する系統の照明器具２として、日の入りとともに点灯し日の出とともに消灯する看板灯を用い、日の入りから日の出までの時間（すなわち点灯時間）を点灯時間タイマ１６ｂでカウントするようにしても良い。
【００５２】
（実施形態３）
本実施形態の照明制御装置の概略構成図を図７に示す。本実施形態では、実施形態１で説明した照明制御装置において、外部から入力される外部信号を制御部１１に出力する外部信号入力部１９を設けており、制御部１１が外部信号入力部１９に入力される外部信号に連動させて少なくとも何れか１つの系統の照明器具２をオン／オフさせている。尚、外部信号入力部１９以外の構成は実施形態１と同様であるので、同一の構成要素には同一の符号を付して、その説明は省略する。
【００５３】
また本実施形態では照明制御装置１ａ，１ｂを２台用い、各照明制御装置１ａ，１ｂで４系統づつ、合計８系統の照明器具２を制御している。また、２台の照明制御装置１ａ，ｂの内の１台を親機、もう１台を子機とし、親機側の照明制御装置１ａでは時刻タイマ１６ａから出力される現在の時刻情報に応じて各系統の照明器具２のスケジュール制御を行うとともに、この時刻情報を子機側の照明制御装置１ｂに出力している。そして、子機側の照明制御装置１ｂでは、外部信号入力部１９が親機側の照明制御装置１ａから入力された時刻情報を受け取って制御部１１に出力しており、この時刻情報にしたがって制御部１１が各系統の照明器具２のスケジュール制御を行っている。
【００５４】
子機側の照明制御装置１ｂでは、少なくとも１つの系統の照明器具２のオン／オフが外部信号入力部１９に入力される時刻情報と連動しているので、点灯時間タイマ１６ｂでは外部信号入力部１９に入力される時刻情報をカウントすることによって、この時刻情報で制御される系統の照明器具２の点灯時間を計時することができる。
【００５５】
例えば各照明制御装置１ａ，１ｂにより店舗内の照明器具２の点灯／消灯を制御する際に、その店舗の営業時間が１０：００〜２０：００、準備時間が９：００〜１０：００及び２０：３０〜２１：００であり、各照明制御装置１ａ，１ｂの電源投入時間が９：００、電源切断時間が２１：００となっている場合に（図１参照）、系統２，４の照明器具２を照明制御装置１ａ，１ｂに電源が投入されている間中点灯させるとともに、系統１，３の照明器具２を営業時間の間だけ点灯させる場合、親機側の照明制御装置１ａから子機側の照明制御装置１ｂに対して、時刻情報とともに９：００〜１０：００及び２０：３０〜２１：００の間は消灯させるという制御情報が出力される。図８は設定部１４を用いて各系統毎に計時対象を設定する設定画面を示しており、系統１，３の照明器具２についてはガイブニュウリョク（すなわち外部信号入力部１９に入力される信号）を計時することによって点灯時間を計時し、系統２，４の照明器具２についてはデンゲン（すなわち電源部１７の通電時間）を計時することによって点灯時間を計時する。而して、子機側の照明制御装置１ｂでは外部信号入力部１９に入力された外部信号（すなわち親機側の照明制御装置１ａの時刻情報及び制御情報）に基づいて、１０：００〜２０：３０の間、系統１，３の照明器具２を点灯させるとともに、点灯時間タイマ１６ｂが時刻情報をカウントして系統１，３の照明器具２の点灯時間を計時する。したがって、準備時間の間は点灯時間タイマ１６ｂが系統１，３の照明器具２の点灯時間を計時することはなく、各系統の照明器具２の点灯時間を正確に計時することができる。
【００５６】
【表１】
0003800030.tif 000002
【００５７】
ところで、大規模な店舗などでは同じフロアに複数台の照明制御装置１が設置される場合があり、複数台の照明制御装置１でタイムスケジュール制御を別々に行うと、各照明制御装置１の時刻情報がずれているために系統間で照明器具２の動作がずれる虞があるが、本実施形態では親機側の照明制御装置１ａの時刻情報を基準として、子機側の照明制御装置１ｂが動作しているので、複数の照明制御装置を用いてタイムスケジュール制御を行うような場合でも系統間で照明器具２の動作がずれるのを防止できる。尚、本実施形態では、複数台の照明制御装置１ａ，１ｂの内の１台を親機として、親機の時刻情報を子機に伝送しているが、基準となる時刻情報を発生する時計を別途設け、この時計の時刻情報を各照明制御装置１ａ，１ｂの外部信号入力部１９に入力することで、全ての照明制御装置１ａ，１ｂの時刻情報を一致させることができる。
【００５８】
また、本実施形態では子機側の照明制御装置１ｂの外部信号入力部１９に、外部信号として親機側の照明制御装置１ａの時刻情報を入力しているが、照明制御装置以外の外部機器、例えば建物全体を制御するコントローラから制御信号や警報信号を入力して、照明器具２を点灯又は消灯させるようにしても良い。なお、各照明制御装置１ａ，１ｂでは、点灯時間タイマ１６ｂが各系統の照明器具２の点灯時間を系統毎に計時しているので、外部信号入力部１９に入力される外部信号に連動した系統の点灯時間を正確に計時することができ、例えば時間経過とともに点灯出力を変化させて照明器具２の照度を一定に保つ場合にも、各照明器具２の点灯時間を正確に計時できることから、適正な照度を得ることができる。
【００５９】
尚、親機側の照明制御装置１ａと子機側の照明制御装置１ｂとの間や、各照明制御装置１ａ，１ｂと外部との間の時刻情報の伝送方式は有線でも良いし、無線でも良い。
【００６０】
（実施形態４）
本実施形態の照明制御装置の概略構成図を図９に示す。本実施形態では、実施形態１で説明した照明制御装置において、照明器具２の照明範囲に設けた所定の検知エリア内の人体から放射される熱線（赤外線）を検出することによって、この検知エリアにおける人の存否を検出する赤外線センサのような人体検出部４を設けており、制御部１１が人体検出部４から入力される検出信号Ｓ１に応じて少なくとも１つの系統（例えば系統１）の照明器具２をオン／オフさせている。尚、人体検出部４以外の構成は実施形態１と同様であるので、同一の構成要素には同一の符号を付して、その説明は省略する。また、図９では図示を簡単にするため、制御部１１以外の構成要素や系統２〜４に接続される照明器具２などを省略して図示してある。
【００６１】
ここで、制御部１１が人体検出部４の人体検知信号と連動して系統１の照明器具２の点灯状態を制御する場合は、図１２に示すように系統１の照明器具２の点灯時間を計時するための計時対象としてジンタイケンチ（すなわち人体検出部４の人体検知信号）を選択しており、図示しない点灯時間タイマ１６ｂは人体検出部４から人体検出信号Ｓ１が入力されている間、系統１の照明器具２の点灯時間を計時する。
【００６２】
なお、人体検出部４は人体から放射される赤外線を検出する赤外線センサを有しており、図１１に示すように赤外線センサの検知レベルＶ１と所定の基準レベルＬ１との高低を比較することによって、人体の存否を示す検出信号Ｓ１を照明制御装置１に出力する。ここでは、赤外線の検知レベルＶ１が基準レベルＬ１よりも高ければ、人の存在を示す検知信号を照明制御装置１に出力し、制御部１１が系統１の照明器具２を点灯させる。また、赤外線の検知レベルＶ１が基準レベルＬ１よりも低ければ、人の不在を示す検知信号を照明制御装置１に出力し、制御部１１が系統１の照明器具２を消灯させる。なお、制御部１１では、時刻ｔ２又はｔ５において人体検出部４から人の存在を示す検出信号が入力されなくなった後も、所定の点灯保持時間Ｔ１だけ照明器具２の点灯状態を維持しており、タイマ部１６では照明器具２を点灯させる間（すなわち時刻ｔ１〜ｔ３及び時刻ｔ４〜ｔ６の期間）だけ照明器具２の点灯時間を積算する。
【００６３】
ところで、図１０はこの照明制御装置１によって点灯状態が制御される照明器具２の配置を示しており、系統２〜４の照明器具２はそれぞれ建物６内の売り場などのゾーン７ｂ〜７ｄに設置され、系統１の照明器具２は他のゾーン７ｂ〜７ｄに比べて比較的点灯時間の少ないバックヤードや倉庫などのゾーン７ａに設置されている。そして、人体検出部４の検知エリア４ａはゾーン７ａの出入口８付近に設定されているので、ゾーン７ａ内に人が居る場合のみゾーン７ａ内に設置された照明器具２を点灯させることができ、省電力を図ることができる。また、点灯時間タイマ１６ｂでは、人体検出部４から入力される人体検出信号Ｓ１に基づいて、系統１の照明器具２の点灯時間のみ計時動作を行っているので、対応する系統１の照明器具２の点灯時間を正確に計時することができ、例えば時間経過とともに点灯出力を変化させて照明器具２の照度を一定に保つ場合にも、各照明器具２の点灯時間を正確に計時できることから、適正な照度を得ることができる。
【００６４】
（実施形態５）
本実施形態の照明制御装置１の概略構成図を図１３に示す。本実施形態では、実施形態１で説明した照明制御装置において、外光の照度を検出する明るさ検出部としての照度検出部５を設けており、制御部１１では、照度検出部５から入力される検出信号Ｓ２に連動させて、少なくとも１つの系統（例えば系統３）の照明器具２を点灯又は消灯させている。尚、照度検出部５以外の構成は実施形態１と同様であるので、同一の構成要素には同一の符号を付して、その説明は省略する。また、図１３では図示を簡単にするため、制御部１１以外の構成要素や系統１，２及び４に接続される照明器具２などを省略して図示してある。
【００６５】
ここで、制御部１１が照度検出部５の検出信号と連動して系統３の照明器具２の点灯状態を制御する場合は、図１５に示すように系統３の照明器具２の点灯時間を計時するための計時対象としてショウドケンチ（すなわち照度検出部５の検出信号Ｓ２）を選択しており、図示しない点灯時間タイマ１６ｂでは照度検出部５から入力される検出信号Ｓ２に応じて系統３の照明器具２が点灯した時間のみを点灯時間として計時する。
【００６６】
照度検出部５は、周囲の明るさに応じた電圧値の検出信号Ｓ２を発生するＣｄＳセンサを有し、図１４の時刻ｔ１１〜ｔ１２では、ＣｄＳセンサの発生した検出信号Ｓ２の検出レベルＶ２が所定の基準レベルＬ２よりも低いので（すなわち周囲の明るさが所定の基準値よりも明るいので）、制御部１１は系統３の照明器具を消灯させる。一方、図１４の時刻ｔ１２以降では、ＣｄＳセンサの発生した検出信号Ｓ２の検出レベルＶ２が所定の基準レベルＬ２よりも高いので（すなわち周囲の明るさが所定の基準値よりも暗いので）、制御部１１は系統３の照明器具を点灯させる。そして、図示しない点灯時間タイマ１６ｂでは制御部１１が照度検出部５の検出信号Ｓ２に応じて系統３の照明器具２を点灯させる間、この系統の照明器具２の点灯時間を計時する。
【００６７】
ところで、図１６はこの照明制御装置１によって点灯状態が制御される照明器具２の配置を示しており、系統３の照明器具２は外光の影響を受けやすい窓際のゾーン７ｃに設置され、それ以外の系統１，２及び４の照明器具２は外光の影響を受け難い建物の内側のゾーン７ａ，７ｂ及び７ｄに設置されている。そして、照度検出部５の検出エリア５ａはゾーン７ｄの外側に設定されており、照度検出部５で外光の照度を検出し、その検出レベルが所定の基準レベルよりも明るい場合はゾーン７ｃに設置された照明器具２を消灯させているので、周囲が十分に明るい場合はゾーン７ｃの照明器具２を消灯させることによって、省電力を図ることができる。尚、本実施形態では照度検出部５によりゾーン７ｃの外側付近の屋外の照度を検出しているが、照度検出部５により照明器具２の周囲の照度を検出するようにしても良い。また、図１７に示すように照度検出部５によって系統３の照明器具２の照度を検出するようにしても良く、この場合は照度検出部５の検出信号Ｓ２から照明器具２が点灯しているか否かを判定することができる。
【００６８】
また、実施形態４で説明した人体検出部４と組み合わせ、照度検出部５の検出した明るさが基準の明るさよりも暗く、且つ、人体検出部４が人を検出した時は制御部１１が対応する系統の照明器具２を点灯させ、照度検出部５の検出した明るさが基準の明るさよりも明るい場合は対応する系統の照明器具２を消灯させるようにしても良く、周囲が十分に明るい場合や周囲に人がいない場合には照明器具２を消灯させることによって、省電力を図ることができる。
【００６９】
また更に、点灯時間タイマ１６ｂでは、照度検出部５や人体検出部４から入力される検出信号Ｓ２，Ｓ１に基づいて制御部１１が照明器具２を点灯させている間だけ点灯時間の計時動作を行っているので、各系統の照明器具２の点灯時間を正確に計時することができ、例えば時間経過とともに点灯出力を変化させて照明器具２の照度を一定に保つ場合にも、各照明器具２の点灯時間を正確に計時できることから、適正な照度を得ることができる。
【００７０】
【発明の効果】
上述のように、請求項１の発明は、複数の系統の信号線が接続され、各系統の信号線にそれぞれ接続された調光可能な照明器具に対して系統毎に調光信号を出力する調光信号出力部と、各系統毎に調光信号を発生する制御部と、各系統の信号線にそれぞれ接続された照明器具の点灯時間を系統毎に計時するタイマ部とを備え、制御部は、タイマ部の計時した各系統毎の点灯時間に基づいて、経年変化による照度の低下を抑制するように各系統の調光信号を決定することを特徴とし、制御部は調光信号出力部を用いて各系統毎に調光信号を出力しており、タイマ部は各系統に接続された照明器具の点灯時間を系統毎に計時しているので、各系統で照明器具の点灯時間が異なる場合でも、各系統の照明器具の点灯時間を正確に計時することができ、したがって各系統の照明器具について異なる制御を行う場合にも点灯時間が系統毎に計時されているので、容易に対応できるという効果がある。そのうえ、経年変化による照度の低下を抑制することができ、且つ、タイマ部は各系統毎に点灯時間を計時しているので、各系統で照明器具の点灯時間が異なる場合でも各系統毎に経年変化による照度の低下を正確に補正することができるという効果がある。
【００７１】
請求項２の発明は、請求項１の発明において、系統毎に異なる種類の照明器具が接続されており、各系統に接続された照明器具に関わる情報を設定する設定部を備え、当該設定部で設定された情報に基づいて制御部が調光信号の内容を決定することを特徴とし、請求項１の発明の効果に加え、設定部を用いて各系統に接続された照明器具に関わる情報を設定することができるので、系統毎に異なる種類の照明器具が接続される場合にも、各系統に接続される照明器具の種類に応じた調光制御を行えるという効果がある。
【００７２】
請求項３の発明は、請求項１の発明において、上記制御部は、通電中に少なくとも何れか１つの系統の照明器具を点灯させており、上記タイマ部は、上記各部に電源供給する電源部の通電時間を、通電中に点灯する系統の照明器具の点灯時間として計時することを特徴とし、請求項１の発明と同様の効果を奏する。
【００７３】
請求項４の発明は、請求項１の発明において、外部に接点信号を出力する外部接点出力部と、外部接点出力部から出力される接点信号に連動して少なくとも何れか１つの系統の照明器具をオン／オフさせる連動制御部とを備え、上記タイマ部は、接点信号の出力時間を、接点信号に連動して点灯する系統の照明器具の点灯時間として計時することを特徴とし、請求項１の発明と同様の効果を奏する。
【００７４】
請求項５の発明は、請求項１の発明において、外部信号が入力される外部信号入力部を備え、上記制御部は外部信号入力部に入力された外部信号に連動して少なくとも何れか１つの系統の照明器具をオン／オフさせており、上記タイマ部は、外部信号の入力時間を、外部信号に連動して点灯する系統の照明器具の点灯時間として計時することを特徴とし、請求項１の発明と同様の効果を奏する。
【００７５】
請求項６の発明は、請求項１の発明において、照明器具の照明範囲内に設定された検知エリアにおける人の存否を検出する人体検出部を備え、上記制御部は人体検出部の人体検知信号に連動して少なくとも何れか１つの系統の照明器具をオン／オフさせており、上記タイマ部は、制御部が人体検知信号に応じて対応する系統の照明器具を点灯させている間、この系統の照明器具の点灯時間を計時することを特徴とし、請求項１の発明の効果に加えて、人がいない時には照明器具を消灯させることによって省電力を図ることができるという効果がある。
【００７６】
請求項７の発明は、請求項１の発明において、所定の検知エリアの明るさを検出する明るさ検出部を備え、上記制御部は明るさ検出部の明るさ検出信号に連動して少なくとも何れか１つの系統の照明器具をオン／オフさせており、上記タイマ部は、制御部が明るさ検出信号に応じて対応する系統の照明器具を点灯させている間、この系統の照明器具の点灯時間を計時することを特徴とし、請求項１の発明の効果に加えて、周りが十分明るい時には照明器具を消灯させることによって省電力を図ることができるという効果がある。
【００７７】
請求項８の発明は、請求項３乃至７の発明において、上記タイマ部は、各系統の照明器具の点灯時間に対応した計時対象を計時することにより点灯時間を求めており、予め用意された複数の計時対象の中からタイマ部が計時する計時対象を選択的に設定する設定部を設けて成ることを特徴とし、請求項３乃至７の発明の効果に加えて、設定部により各系統の点灯時間を計時するための計時対象を容易に切り替えることができるという効果がある。
【００７８】
請求項９の発明は、請求項１乃至８の発明において、タイマ部の計時した点灯時間が予め設定されたランプ交換時間に達すると、ランプの交換時期を報知するランプ交換報知部を備えて成ることを特徴とし、請求項１乃至８の発明の効果に加えて、各系統毎に点灯時間が異なる場合でも各系統毎にランプの交換時期をユーザに知らしめることができるという効果がある。
【００７９】
請求項１０の発明は、請求項１乃至９の発明において、各系統毎に接続可能な照明器具の台数の合計が、全体として接続可能な照明器具の台数よりも多い台数に設定されており、少なくとも何れか１つの系統に接続された照明器具の台数がこの系統の接続可能な台数を超えるか、又は、各系統に接続された照明器具の台数の合計が全体として接続可能な台数を超えると接続台数が設定台数を超過したことを報知する接続異常報知部を備えて成ることを特徴とし、請求項１乃至９の発明の効果に加えて、接続台数が予め設定された台数を超えたことをユーザに知らしめることができるという効果がある。
【００８１】
請求項１１の発明は、請求項１乃至１０の発明において、上記照明器具の照明負荷が高周波点灯専用形蛍光ランプからなることを特徴とし、請求項１乃至１０の発明と同様の効果を奏する。
【図面の簡単な説明】
【図１】実施形態１の照明制御装置の概略構成図である。
【図２】同上の照明制御装置に系統毎に異なる種類の照明器具を接続した状態を示す概略構成図である。
【図３】（ａ）〜（ｄ）は同上の表示部の表示内容を説明する説明図である。
【図４】実施形態２の照明制御装置の概略構成図である。
【図５】同上の表示部の表示内容を説明する図である。
【図６】同上の制御状態を説明する説明図である。
【図７】実施形態３の照明制御装置の概略構成図である。
【図８】同上の表示部の表示内容を説明する説明図である。
【図９】実施形態４の照明制御装置の概略構成図である。
【図１０】同上の照明器具の配置を説明する説明図である。
【図１１】同上の人体検出部の検出信号と照明器具の点灯状態との関係を示す図である。
【図１２】同上の表示部の表示内容を説明する説明図である。
【図１３】実施形態５の照明制御装置の概略構成図である。
【図１４】同上の照度検出部の検出信号と照明器具の点灯状態との関係を示す図である。
【図１５】同上の表示部の表示内容を説明する説明図である。
【図１６】同上の照明器具の配置を説明する説明図である。
【図１７】同上の別の照明制御装置の概略構成図である。
【符号の説明】
１    照明制御装置
２    照明器具
１１  制御部
１２  調光信号出力部
１６  タイマ部
【図１】
0003800030.tif 000003
【図２】
0003800030.tif 000004
【図３】
0003800030.tif 000005
【図４】
0003800030.tif 000006
【図５】
0003800030.tif 000007
【図６】
0003800030.tif 000008
【図７】
0003800030.tif 000009
【図８】
0003800030.tif 000010
【図９】
0003800030.tif 000011
【図１０】
0003800030.tif 000012
【図１１】
0003800030.tif 000013
【図１２】
0003800030.tif 000014
【図１３】
0003800030.tif 000015
【図１４】
0003800030.tif 000016
【図１５】
0003800030.tif 000017
【図１６】
0003800030.tif 000018
【図１７】
0003800030.tif 000019